(57)【特許請求の範囲】
【請求項１】
防水ハウジングＣの一体ゴム栓３に電線Ａを挿通し、この電線Ａを防水ハウジングＣに押し込み、前記一体ゴム栓３から突出した電線Ａを圧接刃Ｔで押し下げて端子２の圧接片６、６間に圧入する防水ハウジングへの電線圧接方法において、防水ハウジングＣへの電線Ａの押し込みに際し、電線Ａが端子２の圧接片６に衝突しないように、電線Ａを上面が傾斜した押上歯１８で上向きに案内すると共に、その電線Ａをストッパ片１７に当接させて所定位置で停止させることを特徴とする防水ハウジングへの電線圧接方法。
【請求項２】
防水ハウジングＣをセットする治具ブロック１０に、開閉自在のガイドカバー１１と昇降自在の線受部材１２とを備え、前記ガイドカバー１１に、電線Ａを押し下げて端子２の圧接片６、６間に圧入する圧接刃Ｔの挿通孔１５と、その圧入時に電線Ａをガイドすると共に端子２の側壁の拡がりを防止するガイド片１６と、防水ハウジングＣへの電線Ａの挿入を所定位置で止めるストッパ片１７とを設け、前記線受け部材１２に、防水ハウジングＣに下方から突入して、電線Ａを防水ハウジングＣへの挿入時に上面の傾斜に沿って上向きに案内し、電線Ａが端子２の圧接片６に衝突するのを回避する押上歯１８を設けた防水ハウジングへの電線圧接治具。
【発明の詳細な説明】
【０００１】
【発明の属する技術分野】
この発明は、ワイヤーハーネスの製造に際し、電線を防水ハウジングに圧接する方法及びその圧接に使用する治具に関するものである。
【０００２】
【従来の技術】
一般に、圧接によりワイヤーハーネスを製造する際には、図１１及び図１２に示すように、ハウジング５１に実装された端子５２の圧接片５３、５３間に、電線Ａを上方から圧接刃Ｔで押し下げて圧入する。この圧入に際し、端子５２の側壁５４の外面にガイド片５５を沿わせ、電線Ａをガイドすると共に、端子５２の側壁５４の拡がりを防止する。
【０００３】
ところで、ハウジングに防水性を付与しようとすると、ハウジングに装着したシール用のゴム栓に電線を挿通しなければならず、このようにゴム栓に挿通した電線の端子上方への供給が困難なため、現在のところ、防水タイプの圧接ハウジングを用いたワイヤーハーネスは製造されていない。
【０００４】
【発明が解決しようとする課題】
そこで、この発明は、防水タイプの圧接ハウジングを用いたワイヤーハーネスの製造が可能な電線圧接方法及びその治具を提供することを課題とする。
【０００５】
【課題を解決するための手段】
上記のような課題を解決するため、この発明は、防水ハウジングの一体ゴム栓に電線を挿通し、この電線を防水ハウジングに押し込み、前記一体ゴム栓から突出した電線を圧接刃で押し下げて端子の圧接片間に圧入する防水ハウジングへの電線圧接方法において、防水ハウジングへの電線の押し込みに際し、電線が端子の圧接片に衝突しないように、電線を上面が傾斜した押上歯で上向きに案内すると共に、その電線をストッパ片に当接させて所定位置で停止させることとしたのである。
【０００６】
また、この方法に使用する治具として、防水ハウジングをセットする治具ブロックに、開閉自在のガイドカバーと昇降自在の線受部材とを備え、前記ガイドカバーに、電線を押し下げて端子の圧接片間に圧入する圧接刃の挿通孔と、その圧入時に電線をガイドすると共に端子の側壁の拡がりを防止するガイド片と、防水ハウジングへの電線挿入を所定位置で止めるストッパ片とを設け、前記線受け部材に、防水ハウジングに下方から突入して、電線を防水ハウジングへの挿入時に上面の傾斜に沿って上向きに案内し、電線が端子の圧接片に衝突するのを回避する押上歯を設けたものを提供する。
【０００７】
上記のような方法及び治具によると、端子上方への電線の供給が可能となり、電線先端の不揃いや圧接ミスもなく、防水ハウジングを用いて優れた品質のワイヤーハーネスを製造できる。
【０００８】
【発明の実施の形態】
以下、この発明の実施形態を添付図面に基づいて説明する。
【０００９】
図１乃至図３に示すように、この圧接で製造する防水ハウジングＣは、ハウジング本体１、端子２、一体ゴム栓３及びカバー４から構成される。端子２は、ハウジング本体１のキャビティ５に実装され、電線Ａが圧入される２対の圧接片６を備えたものである。一体ゴム栓３は、ハウジング本体１に取り付けられ、その端面には電線Ａが挿通される挿通孔７が穿設されている。カバー４は、電線Ａの圧接後、端子２を覆うようにハウジング本体１に被せられる。
【００１０】
また、図４に示すように、この圧接で使用する治具Ｊは、治具ブロック１０、ガイドカバー１１、線受部材１２及びスペーサ１３から構成されている。治具ブロック１０には、防水ハウジングＣをセットする凹所１４が形成され、この凹所１４は前記ガイドカバー１１により開閉される。ガイドカバー１１には、後述の圧接刃Ｔが挿通される挿通孔１５が形成され、ガイドカバー１１の裏面には、各挿通孔１５の両側に位置する前後方向のガイド片１６と、各挿通孔１５の奥部に位置する横方向のストッパ片１７とが設けられている。線受部材１２は、上面が後方へ向かって斜めに高くなる櫛歯状の押上歯１８を有し、この押上歯１８は、線受部材１２の昇降に伴って治具ブロック１０から出没する。スペーサ１３は、治具ブロック１０に抜差自在とされ、その差込状態において線受部材１２を上昇位置に保持する。
【００１１】
上記のような治具Ｊを使用して防水ハウジングＣの圧接端子２に電線Ａを圧接するには、図５に示すように、凹所１４に防水ハウジングＣをセットする。この状態において、スペーサ１３を治具ブロック１０に差し込み、線受部材１２を上昇させ、押上歯１８を治具ブロック１０から突出させておく。
【００１２】
次いで、図６に示すように、ガイドカバー１１を閉じてハウジング本体１に被せ、電線Ａを一体ゴム栓３の挿通孔７に差し込む。この差し込みに伴い、図７に示すように、電線Ａは、ハウジング本体１に下方から突入した押上歯１８により上向きに案内され、圧接片６との衝突が回避される。そして、電線Ａは、ストッパ片１７に当接し、所定位置で停止する。従って、電線Ａの過挿入や挿入不足が防止され、並列する電線Ａの先端が不揃いになることがない。なお、このとき、圧接機の圧接刃Ｔを少し下げておき、挿通孔１５からの電線Ａの飛び出しを防止するとよい。
【００１３】
その後、図８及び図９に示すように、スペーサ１３を治具ブロック１０から引き抜いて線受部材１２を下降させ、押上歯１８を治具ブロック１０に没入させた状態で、圧接刃Ｔを下降させ、電線Ａを押し下げて端子２の圧接片６、６間に圧入する。このとき、端子２の側壁の外側に沿うガイド片１６により電線Ａがガイドされ、また、端子２の側壁の拡がりも防止される。
【００１４】
この圧接作業は、図１０に示すような自動圧接機で行うことができる。この圧接機は、電線調尺部２１、搬送ハンド２２、２３、搬送コンベヤ２４、圧接プレス部２５、組立ユニット２６、カメラ２７、製品着脱部２８及びハウジング収納ケース２９を備えており、搬送コンベヤ２４によりパレット３０が搬送される。
【００１５】
この圧接機による圧接に際しては、製品着脱部２８においてパレット３０に上記治具Ｊを取り付け、この治具Ｊに収納ケース２９から取り出した防水ハウジングＣをセットし、パレット３０を圧接プレス部２５に位置づける。
【００１６】
次いで、電線調尺部２１から所要長繰り出されて調尺された電線Ａの各端を搬送ハンド２２、２３で圧接プレス部２５へ搬送し、圧接プレス部２５において上述のように防水ハウジングＣに電線Ａを圧接する。このとき、治具Ｊの線受部材１２の昇降動作は自動圧接機に装備したシリンダ等で行われる。
【００１７】
その後、組立ユニット２６において防水ハウジングＣにカバーを取り付け、その取付状態をカメラ２７で検査し、着脱ユニット２８において治具Ｊから製品を取り外す。
【００１８】
このように、治具Ｊを用いると、防水ハウジングＣに電線Ａをミスなく圧接することができ、また、自動圧接機により能率よく大量にワイヤーハーネスを生産することができる。
【００１９】
【発明の効果】
以上のように、この発明に係る方法及び治具では、電線を上向きに案内しつつ防水ハウジングに挿入するようにしたので、端子上方への電線の供給が可能となり、電線先端の不揃いや圧接ミスもなく、防水ハウジングを用いて優れた品質のワイヤーハーネスを製造できる。
【図面の簡単な説明】
【図１】防水ハウジングの分解斜視図
【図２】同上の端子及び一体ゴム栓の取付状態を示す斜視図
【図３】同上の完成状態を示す斜視図
【図４】この発明に係る圧接用治具の斜視図
【図５】同上の治具への防水ハウジングセット状態を示す斜視図
【図６】同上のガイドカバーを閉じた状態を示す斜視図
【図７】同上の防水ハウジングへの電線挿入状態を示す縦断側面図
【図８】同上の端子への電線圧入状態を示す縦断側面図
【図９】同上の縦断正面図
【図１０】同上の治具を自動圧接機に適用した例を示す斜視図
【図１１】ハウジングへの電線圧接過程説明図
【図１２】ハウジングへの電線圧接状態説明図
【符号の説明】
Ａ  電線
Ｃ  防水ハウジング
Ｊ  治具
Ｔ  圧接刃
１  ハウジング本体
２  端子
３  一体ゴム栓
４  カバー
６  圧接片
７  挿通孔
１０  治具ブロック
１１  ガイドカバー
１２  線受部材
１３  スペーサ
１４  凹所
１５  挿通孔
１６  ガイド片
１７  ストッパ片
１８  押上歯
【図１】
0003931492.tif 000002
【図２】
0003931492.tif 000003
【図３】
0003931492.tif 000004
【図４】
0003931492.tif 000005
【図５】
0003931492.tif 000006
【図６】
0003931492.tif 000007
【図７】
0003931492.tif 000008
【図８】
0003931492.tif 000009
【図９】
0003931492.tif 000010
【図１０】
0003931492.tif 000011
【図１１】
0003931492.tif 000012
【図１２】
0003931492.tif 000013